(57)【要約】【課題】簡易な構成で、より優先順位の高い優先者の存在を通知することができる通信端末等を提供する。【解決手段】無線部１１は、他の通信端末から送信される優先度判定基準情報を含む信号を受信する。記憶部１２は、通信端末１の所持者の優先度判定基準情報１２１を記憶する。制御部１３の優先度比較判定部１３２は、無線部１１が受信した他の通信端末の優先度判定基準情報と、記憶部１２に記憶されている優先度判定基準情報１２１を比較し、どちらの優先度判定基準情報が示す優先度の方が高いかを判定し、他の通信端末から取得した優先度判定基準情報が示す優先度の方が高いと判定した場合に、通知信号生成部１３３が音声データ信号や情報表示信号を生成して出力し、スピーカ１７から通知音を出力させ、表示部１５に通知画面を表示させる。【選択図】図２
2013070142.tif 000002
【特許請求の範囲】
【請求項１】
通信端末の所持者の優先度を判定する基準となる所持者の優先度判定基準情報を記憶する記憶手段と、
他者が所持する通信端末から送信される当該他者の優先度を判定する基準となる他者の優先度判定基準情報を受信する受信手段と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定手段と、
前記優先度判定手段により、前記他者の優先度判定基準情報が示す優先度が前記所持者の優先度判定基準情報が示す優先度より高いと判定された場合には、優先者の存在を通知する通知手段と、
を有することを特徴とする通信端末。
【請求項２】
前記受信手段は、近距離無線通信により受信する、
ことを特徴とする請求項１に記載の通信端末。
【請求項３】
前記所持者の優先度判定基準情報を送信する送信手段をさらに有し、
前記受信手段が受信する前記他者の優先度判定基準情報は、前記他者が所持する通信端末の前記記憶手段に記憶されている前記他者の優先度判定基準情報を、前記他者の通信端末の前記送信手段が送信したものである、
ことを特徴とする請求項１又は２に記載の通信端末。
【請求項４】
前記優先度判定基準情報は、前記通信端末を所持する者の身体的情報を含む情報であり、前記身体的情報は複数のグループに分類されており、
前記優先度判定手段は、前記グループ毎に優先度の比較を行う、
ことを特徴とする請求項１乃至３のいずれかに記載の通信端末。
【請求項５】
前記優先度判定基準情報に含まれる身体的情報は、高齢であることに起因する情報のグループと、高齢であることに起因しない情報のグループとに分類されており、
前記優先度判定手段は、前記所持者の優先度判定基準情報と前記他者の優先度判定基準情報の双方に、前記高齢であることに起因する情報のグループに属する同じ情報が含まれていた場合には、年齢が高い方が優先者であると判定する、
ことを特徴とする請求項４に記載の通信端末。
【請求項６】
前記通知手段は、優先者の性別及び年代を含む情報を表示部に表示する、
ことを特徴とする請求項１乃至５のいずれかに記載の通信端末。
【請求項７】
前記通信端末は近距離無線通信機能を有する携帯電話である、
ことを特徴とする請求項１乃至６のいずれかに記載の通信端末。
【請求項８】
２以上の通信端末から構成される優先者通知システムであって、
各通信端末は、
当該通信端末の所持者の優先度を判定する基準となる所持者の優先度判定基準情報を記憶する記憶手段と、
他者が所持する通信端末から送信される当該他者の優先度を判定する基準となる他者の優先度判定基準情報を受信する受信手段と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定手段と、
前記優先度判定手段により、前記他者の優先度判定基準情報が示す優先度が前記所持者の優先度判定基準情報が示す優先度より高いと判定された場合には、優先者の存在を通知する通知手段と、
ことを特徴とする優先者通知システム。
【請求項９】
通信端末の所持者の優先度を判定する基準となる所持者の優先度判定基準情報を記憶する記憶ステップと、
他者が所持する通信端末から送信される当該他者の優先度を判定する基準となる他者の優先度判定基準情報を受信する受信ステップと、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定ステップと、
前記優先度判定ステップにより、前記他者の優先度判定基準情報が示す優先度が前記所持者の優先度判定基準情報が示す優先度より高いと判定された場合には、優先者の存在を通知する通知ステップと、
を有することを特徴とする優先者通知方法。
【請求項１０】
コンピュータに、
通信端末の所持者の優先度を判定する基準となる所持者の優先度判定基準情報を記憶する記憶機能と、
他者が所持する通信端末から送信される当該他者の優先度を判定する基準となる他者の優先度判定基準情報を受信する受信機能と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定機能と、
前記優先度判定機能により、前記他者の優先度判定基準情報が示す優先度が前記所持者の優先度判定基準情報が示す優先度より高いと判定された場合には、優先者の存在を通知する通知機能と、
を実現させるためのプログラム。
【発明の詳細な説明】
【技術分野】
【０００１】
本発明は、優先者通知機能を有する通信端末、優先者通知システム、優先者通知方法、及びプログラムに関する。
【背景技術】
【０００２】
電車などの公共交通機関等には優先席が設けられているが、優先者を優先席等に誘導できるようにするシステムが提案されている（例えば特許文献１）。
【０００３】
特許文献１には、優先者が所持する第１のＩＣタグと、優先席などの支援箇所に設置された第２のＩＣタグから、ＩＣタグ情報を読み取ることにより、優先者が必要とする支援情報を取得し、支援を促すための通知を行う優先者通知携帯端末が記載されている。
【先行技術文献】
【特許文献】
【０００４】
【特許文献１】特開２００５−３１１７３１号公報
【発明の概要】
【発明が解決しようとする課題】
【０００５】
しかし、特許文献１に記載の構成によれば、優先者にＩＣタグを所持させる必要があり、また優先席などの支援箇所全てにＩＣタグを設置する必要があった。優先席を必要とする人は、高齢者や身体障害者など、長期間にわたって優先されるべき人以外にも、妊娠中の人、病気の人、怪我の人等、短期的に優先されるべき人も存在し、これらの人にＩＣタグを所持させるのも困難であった。
【０００６】
また、妊娠初期や病気等の人は外観では優先者であるとわかりにくく、周囲の人の理解を得にくい状況であるのに加え、自分が病気等により、ＩＣタグを所持する優先者よりも優先順位が高いと思われる場合にも、優先者が周囲にいることを通知してしまい、席を譲らざるを得ない状況になるという問題もあった。
【０００７】
本発明は、上記実情に鑑みてなされたものであり、簡易な構成で、より優先順位の高い優先者の存在を通知することができる通信端末等を提供することを目的とする。
【課題を解決するための手段】
【０００８】
上記目的を達成するため、本発明の第１の観点に係る通信端末は、
通信端末の所持者の優先度を判定する基準となる所持者の優先度判定基準情報を記憶する記憶手段と、
他者が所持する通信端末から送信される当該他者の優先度を判定する基準となる他者の優先度判定基準情報を受信する受信手段と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定手段と、
前記優先度判定手段により、前記他者の優先度判定基準情報が示す優先度が前記所持者の優先度判定基準情報が示す優先度より高いと判定された場合には、優先者の存在を通知する通知手段と、
を有することを特徴とする。
【０００９】
また、本発明の第２の観点に係る優先者通知システムは、
２以上の通信端末から構成され、
各通信端末は、
当該通信端末の所持者の優先度を判定する基準となる所持者の優先度判定基準情報を記憶する記憶手段と、
他者が所持する通信端末から送信される当該他者の優先度を判定する基準となる他者の優先度判定基準情報を受信する受信手段と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定手段と、
前記優先度判定手段により、前記他者の優先度判定基準情報が示す優先度が前記所持者の優先度判定基準情報が示す優先度より高いと判定された場合には、優先者の存在を通知する通知手段と、
ことを特徴とする。
【００１０】
また、本発明の第３の観点に係る優先者通知方法は、
通信端末の所持者の優先度を判定する基準となる所持者の優先度判定基準情報を記憶する記憶ステップと、
他者が所持する通信端末から送信される当該他者の優先度を判定する基準となる他者の優先度判定基準情報を受信する受信ステップと、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定ステップと、
前記優先度判定ステップにより、前記他者の優先度判定基準情報が示す優先度が前記所持者の優先度判定基準情報が示す優先度より高いと判定された場合には、優先者の存在を通知する通知ステップと、
を有することを特徴とする。
【００１１】
また、本発明の第４の観点に係るプログラムは、
コンピュータに、
通信端末の所持者の優先度を判定する基準となる所持者の優先度判定基準情報を記憶する記憶機能と、
他者が所持する通信端末から送信される当該他者の優先度を判定する基準となる他者の優先度判定基準情報を受信する受信機能と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定機能と、
前記優先度判定機能により、前記他者の優先度判定基準情報が示す優先度が前記所持者の優先度判定基準情報が示す優先度より高いと判定された場合には、優先者の存在を通知する通知機能と、
を実現させることを特徴とする。
【発明の効果】
【００１２】
本発明によれば、簡易な構成で、より優先順位の高い優先者の存在を通知することができる。
【図面の簡単な説明】
【００１３】
【図１】本発明の実施形態に係る優先者通知システムの使用態様を説明するための図である。
【図２】本発明の実施形態１に係る通信端末の内部構成を示すブロック図である。
【図３】優先度判定基準情報を説明するための図である。
【図４】優先度判定基準情報登録処理を示すフローチャートである。
【図５】優先度判定基準情報の登録画面を示した図である。
【図６】優先度判定通知処理を示すフローチャートである。
【図７】優先者情報を通知する画面を示した図である。
【図８】本発明の実施形態２に係る通信端末の内部構成を示すブロック図である。
【発明を実施するための形態】
【００１４】
（実施形態１）
以下、本発明の実施形態１について図面を参照して詳細に説明する。
【００１５】
本実施形態に係る優先者通知システム１は、複数の通信端末１〜３から構成される。複数の通信端末１〜３は、図１に示すように、優先席２１、一般席２２を有する電車２０の乗客が所持する通信端末である。通信端末１〜３は近距離無線通信機能を有する携帯電話などの通信端末である。なお、図１には３つの通信端末１〜３を記載しているが、通信端末の数は任意である。通信端末１〜３は同様の構成を有しているため、通信端末１について詳細に説明する。
【００１６】
通信端末１は図２に示すように、無線部１１、記憶部１２、制御部１３、音声信号処理部１４、表示部１５、操作部１６、スピーカ１７を備える。
【００１７】
無線部１１は、他の通信端末２との間で近距離無線通信によるデータの送信を行う送信部とデータの受信を行う受信部からなる。無線部１１は、優先席周辺の近距離の範囲内にある通信端末の間でのみ通信ができるように、２〜３ｍ程度の近距離の無線通信機能を有するのが望ましい。
【００１８】
無線部１１の受信部は、他の通信端末２から無線送信される通信端末２の所持者の優先度判定基準情報を含む信号を受信し、制御部１３に出力する。また、無線部１１の送信部は、制御部１３が記憶部１２に記憶している通信端末１の所持者の優先度判定基準情報１２１を読み出し、優先度判定基準情報１２１を含む信号を他の通信端末に対して無線送信する。
【００１９】
記憶部１２は、例えば、フラッシュメモリ等の読み書き可能な不揮発性の半導体メモリから構成され、この通信端末１の所持者の優先度判定基準情報１２１などの各種データを記憶する。
【００２０】
優先度判定基準情報１２１は、通信端末１の所持者が操作部１６を用いて入力した情報に基づいて記憶部１２に記憶されたものである。例えば、図３に示す情報から構成される。図３に示す優先度判定基準情報１２１は登録項目Ａ〜Ｂの３つに分類した情報から構成される。
【００２１】
登録項目Ａは、生年月日、性別からなる。生年月日は西暦の年月日を示す８桁の数字から構成される。性別は男性なら０、女性なら１が記憶される。
【００２２】
登録項目Ｂは足腰が弱っているか否かを示すものであり、弱っている場合は１、そうでない場合は０が記憶される。これは足腰が弱っているために優先席を必要とするか否かは年齢のみからは判断できないため、足腰の状態を別途登録できるようにしたものである。
【００２３】
登録項目Ｃは、外観からは判断が付きにくい症状も含めて、身体の調子を示すものである。身体的障害がある場合は１、妊娠中であれば２、怪我をしていれば３、発熱がある場合は４、腹痛がある場合は５、発熱・腹痛以外の病気の症状がある場合は６、身体の調子が以上の項目に当てはまらないときは０が記憶される。
【００２４】
また、記憶部１２は、優先度判定基準情報登録処理や、優先度判定通知処理等の通信端末１が実行する処理のプログラム等も記憶する。
【００２５】
制御部１３は、ＣＰＵ（Central Processing Unit）等から構成され、通信端末１の各構成部を制御すると共に、記憶部１２に記憶されている各種プログラムを実行することにより、優先度判定基準情報登録機能や優先度判定通知機能等の通信端末１の有する機能を実現する。
【００２６】
制御部１３は、優先度判定基準情報入出力部１３１、優先度比較判定部１３２、通知信号生成部１３３の機能ブロックを含む。
【００２７】
優先度判定基準情報入出力部１３１は、通信端末１の所持者が操作部１６を操作して入力した優先度判定基準情報１２１を、記憶部１２に記憶させたり、記憶部１２に記憶している優先度判定基準情報１２１を読み出して、表示部１５に表示させたりする。また、優先度判定基準情報１２１を含む信号を無線送信するために、信号を無線部１１に出力する。
【００２８】
優先度比較判定部１３２は、無線部１１が受信した他の通信端末２から送信される他者の優先度判定基準情報を取得し、記憶部１２に記憶されている通信端末１の所有者の優先度判定基準情報１２１を取得して両者を比較し、どちらの優先度判定基準情報の方が優先度が高いかを判定し、他の通信端末２から取得した優先度判定基準情報の方が優先度が高い場合に通知信号生成部１３３に通知信号を出すように指示する制御信号を出力する。
【００２９】
通知信号生成部１３３は、優先度比較判定部１３２から入力された制御信号に基づいて音声データ信号や、情報表示信号などの通知信号を生成して、音声信号処理部１４や表示部１５に出力する。
【００３０】
音声信号処理部１４は、Ｄ／Ａ変換処理や信号増幅処理等を行う信号処理部であり、制御部１３の通知信号生成部１３３が出力する音声データ信号を、アナログ電気信号に変換して、スピーカ１７に出力する。
【００３１】
表示部１５は、例えば、ＬＣＤ（Liquid Crystal Display）や有機ＥＬ（Electro -Luminescence）ディスプレイ等の表示デバイスから構成され、画像、図形、文字、記号などの情報表示出力を行う。表示部１５には、優先度判定基準情報１２１の設定画面や設定内容を表示する画面を表示したり、制御部１３の通知信号生成部１３３が出力する情報表示信号に基づいて、通知情報を含む画面を表示する。
【００３２】
操作部１６は、文字キー、方向キー、決定キー、テンキー、ファンクションキー等の各種のキーボタンやダイヤル等から構成され、ユーザからの入力操作を受け付け、受け付けた入力操作に係る信号を制御部１３に出力する。操作部１６はユーザから、優先度判定基準情報１２１の設定の入力や、優先度判定基準情報１２１の表示指示の入力等を受け付ける。
【００３３】
次に、以上のように構成された通信端末１の動作を、図１乃至５を参照して説明する。
【００３４】
まず、制御部１３が実行する優先度判定基準情報登録処理について、図３のフローチャートに沿って説明する。
【００３５】
優先度判定基準情報登録処理は、通信端末１のメインメニューから優先度判定基準情報設定を行うメニューが通信端末１の所持者の操作により選択されたときに処理を開始する。
【００３６】
処理が開始されると最初に、通信端末１の所持者が行う設定登録が新規の登録か否かを判別する（ステップＳ１０１）。新規の登録であった場合には、生年月日と性別を取得する（ステップＳ１０２）。例えば、図５（ａ）に示す入力画面を表示部１５に表示させる。それに対して通信端末１の所持者は操作部１６を用いて生年月日と性別を入力する。優先度判定基準情報入出力部１３１は、入力された生年月日と性別の情報を、図３に示す優先度判定基準情報の登録項目Ａの登録データとして保存する（ステップＳ１０３）。
【００３７】
一方、ステップＳ１０１で、新規の登録でないと判別した場合には、生年月日と性別は既に登録されているため、図５（ａ）の登録画面は表示せず、ステップＳ１０４に進む。
【００３８】
次に、ステップＳ１０４では、図３に示す優先度判定基準情報の登録項目Ｂの項目を表示部１５に表示させる。それに対して通信端末１の所持者が自己の状態に基づいた入力を行う。図５（ｂ）に登録項目Ｂの設定画面の例を示す。通信端末１の所持者に足腰が弱っているという自覚があれば、通信端末１の所持者は、「足腰が弱い」と表示された選択ポイントにカーソルを会わせて決定ボタンを押す。その入力に基づいて、優先度判定基準情報入出力部１３１は、図３に示す優先度判定基準情報の登録項目Ｂの登録データとして「１」を保存する。
【００３９】
既に登録されている登録項目Ｂの登録データに対して修正がある場合は（ステップＳ１０５：Ｙｅｓ）、修正を受け付けて登録データを更新し（ステップＳ１０６）、修正がない場合には（ステップＳ１０５：Ｎｏ）、ステップＳ１０７に進む。
【００４０】
次に、ステップＳ１０７では、図３に示す優先度判定基準情報の登録項目Ｃの項目を表示部１５に表示させる。それに対して通信端末１の所持者が自己の状態に基づいた入力を行う。図５（ｃ）に登録項目Ｃの設定画面の例を示す。通信端末１の所持者に図３に示す登録項目Ｃの各項目の症状があれば、通信端末１の所持者は、各項目の選択ポイントにカーソルを会わせて決定ボタンを押す。その入力に基づいて、優先度判定基準情報入出力部１３１は、図３に示す優先度判定基準情報の登録項目Ｃの登録データとして０〜６のいずれかを保存する。
【００４１】
既に登録されている登録項目Ｃの登録データに対して修正がある場合は（ステップＳ１０８：Ｙｅｓ）、修正を受け付けて登録データを更新して（ステップＳ１０９）処理を終了し、修正がない場合には（ステップＳ１０８：Ｎｏ）、データを更新せずに処理を終了する。
【００４２】
以上説明した優先度判定基準情報設定処理を行った通信端末１の所持者が、電車２０に乗り、優先席２１に着席した時や、優先席を譲って欲しい時等に、通信端末１の所持者は、優先者判定通知機能を有効とする。このとき、無線部１１から自己の優先度判定基準情報１２１の送信も開始する。この優先者判定通知機能により、優先席に座っている自分より優先すべき人が後で乗ってきた時に、その優先者に気づくことができる。また、自分の方が優先度が高い場合に、自分の存在を優先席に座っている他者に通知することができる。この機能を実行する優先者判定通知処理を図６のフローチャートに沿って説明する。
【００４３】
図６のフローチャートは、通信端末１の所持者の操作により、優先者判定通知機能を有効とした時に処理を開始する。
【００４４】
まず、通信端末１の無線部１１で近距離無線通信が可能な範囲に対象となる通信端末（以下対象端末と呼ぶ）が存在するか否かを判定する（ステップＳ２０１）。ここで無線部１１は通信端末１を中心に半径２〜３ｍの範囲内のみでの無線通信が可能であるため、図１に示した電車２０の状況においては、通信端末２が対象端末となる。対象端末を検出した場合（ステップＳ２０１：Ｙｅｓ）はステップＳ２０２に進み、対象端末を検出しない場合（ステップＳ２０１：Ｎｏ）は、検出されるまでＳ２０１の判定を続ける。
【００４５】
対象端末を検出した後は、優先度比較判定部１３２が、記憶部１２に記憶されている通信端末１の所持者の優先度判定基準情報と、対象端末である通信端末２から受信した通信端末２の所持者の優先度判定基準情報との比較判定を行う。
【００４６】
まず、ステップＳ２０２では、対象端末の優先度判定基準情報に登録項目Ｃの登録があるか否かを判定する。つまり、図３の登録項目Ｃ登録データとして１〜６が記憶されているか否かを判定する。図３の登録項目Ｃの１〜６のいずれかの登録があった場合には（ステップＳ２０２：Ｙｅｓ）、自己の通信端末１（図６中、自端末と記載する）にも登録項目Ｃの登録があるか否かを判定する（ステップＳ２０３）。
【００４７】
ステップＳ２０３で、自己の通信端末１に登録項目Ｃの登録がある場合には（ステップＳ２０３：Ｙｅｓ）、自己も病気等であるため、他の優先者の存在を通知する必要はないと判定し、ステップＳ２０１に戻る。一方、ステップＳ２０３で、自己の通信端末１に登録項目Ｃの登録がない場合は、ステップＳ２０７以降の通知処理に進む。
【００４８】
ステップＳ２０２で対象端末に登録項目Ｃの登録がないと判定された場合には（ステップＳ２０２：Ｎｏ）、対象端末に登録項目Ｂの登録があるか否か判定する（ステップＳ２０４）。対象端末に登録項目Ｂの登録がない場合には（ステップＳ２０４：Ｎｏ）、対象端末の所持者は、優先者ではないと判定し、ステップＳ２０１に戻る。
【００４９】
一方、対象端末に登録項目Ｂの登録がある場合には（ステップＳ２０４：Ｙｅｓ）、自己の通信端末１に登録項目Ｂの登録があるか否かを判定する（ステップＳ２０５）。自己の通信端末１に登録項目Ｂの登録がない場合には（ステップＳ２０５：Ｎｏ）、対象端末の所持者は足腰が弱いため、席を譲った方が良いと判定しステップＳ２０７以降の通知処理に進む。
【００５０】
自己の通信端末１に登録項目Ｂの登録がある場合には（ステップＳ２０５：Ｎｏ）、対象端末と自己の通信端末１の登録項目Ａの生年月日を比較して、対象端末の所持者が自分より高齢である場合には（ステップＳ２０６：Ｙｅｓ）、席を譲った方が良いと判定しステップＳ２０７以降の通知処理に進む。一方、自分が対象端末の所持者より高齢である場合には（ステップＳ２０６：Ｙｅｓ）、自分の方がより優先度が高く、他の優先者の存在を通知する必要はないと判定し、ステップＳ２０１に戻る。
【００５１】
ステップＳ２０７では、既に通知中であるか否かを判定する。通知中である場合には（ステップ２０７：Ｙｅｓ）、再度状況を確認するために、通知処理を一旦停止した後に（ステップＳ２０８）、ステップＳ２０１に戻って処理を継続する。
【００５２】
通知中でない場合には（ステップＳ２０８：Ｎｏ）、制御部１３の通知信号生成部１３３が、優先者情報を含む通知信号を生成し、出力する（ステップＳ２０９）。具体的には、制御部１３の通知信号生成部１３３が、対象端末の所持者、すなわち優先者の年齢層や性別の情報を優先者判定基準情報の登録項目Ａから導出し、表示部１５に表示させる。図７は通知表示画面の例を示す。対象端末の所持者の年齢層と性別を表示することで、どの人が優先者であるか通信端末１の所持者に知らせることができる。また、制御部１３の通知信号生成部１３３が音声データ信号を出力し、音声信号処理部１４で信号処理して、スピーカ１７からアラーム音を出力する。通信端末１がバイブレータを有する場合には、バイブレータを駆動させて通知しても良い。
【００５３】
通知を開始してから一定時間内に、通信端末１の所持者による操作部１６を用いた確認操作があった場合には（ステップＳ２１０：Ｙｅｓ）、通知処理を停止して（ステップＳ２１１）優先度判定通知処理を終了する。
【００５４】
一方、確認操作を検出できなかったときには（ステップＳ２１０：Ｎｏ）、ステップＳ２０７に戻り、ステップＳ２０７では、通知中であると判定されるため（ステップＳ２０７：Ｙｅｓ）、一旦通知処理を停止した後に（ステップＳ２０８）、ステップＳ２０１にもどり、状況を再確認する。
【００５５】
以上説明したように、本実施形態においては、通信端末１の記憶部１２に優先度判定基準情報１２１を３つのグループに分類して登録しておき、優先度判定通知機能を有効としている際には、近距離に存在する対象端末と優先度判定基準情報１２１を比較して、対象端末の優先度の方が高いと判定した場合には、優先者の存在を通知することとした。これにより、優先席に座っている通信端末１の所持者が、読書中や睡眠中等の状態であっても、自分より優先度の高い人が近くにいることに気づき、その人に席を譲ることができる。また、年齢層、性別も通知するため優先者を特定することができ、優先者の状態も通知するため、外観では分からない初期の妊娠中等の状態の人にも席を譲ることができる。また、立っている人の通信端末２には、座っている人が自分より優先度が高い場合に優先者の存在が通知されるため、外観では分からない初期の妊娠中等の状態の人が座っていても優先者であることを確認することができる。
【００５６】
（実施形態２）
以下、本発明の実施形態２について図８を参照して詳細に説明する。
本実施形態に係る通信端末４は、図８に示すように、受信部４１、記憶部４２、制御部４３、通知信号出力部４４から構成される。
【００５７】
記憶部４２は、優先度の判定の基準となる通信端末４の所持者の優先度判定基準情報４２１を記憶する。受信部４１は他の通信端末から送信される他者の優先度判定基準情報を受信する。制御部４３の優先度比較判定部４３１は、記憶部４２に記憶している所持者の優先度判定基準情報４２１と、受信部が受信した他者の優先度判定基準情報を比較して、他者の優先度判定基準情報が示す優先度が所持者の通信端末４の優先度判定基準情報４２１が示す優先度より高いか否かを判定する。通知信号出力部４４は、制御部４３の優先度比較判定部４３１が、他者の優先度判定基準情報が示す優先度が所持者の通信端末の優先度判定基準情報４２１が示す優先度より高いと判定した場合には、優先者の存在を通知する。
【００５８】
以上説明したように、本実施形態においては、通信端末４の記憶部４２に記憶している通信端末４の所持者の優先度判定基準情報４２１と、他の通信端末から受信した他者の優先度判定基準情報を比較して、他者の優先度判定基準情報が示す優先度の方が高いと判定した場合には、通知信号出力部４４により、優先者の存在を通知することとした。これにより、簡易な構成の通信端末４を用いて、優先度の高い優先者の存在を通知できる優先者通知システムを構築できる。
【００５９】
このように、本発明によれば、簡易な構成で、より優先度の高い優先者の存在を通知することができる。
【００６０】
なお、本発明は、上記実施の形態に限定されず、本発明の要旨を逸脱しない範囲での種々の変更は勿論可能である。
【００６１】
実施形態１において、優先度判定基準情報１２１を登録項目１〜３の３つのグループに分類して、各々のグループで登録された情報の比較を行ったが、優先度判定基準情報の内容や分類するグループの数は任意である。例えば、登録項目３の病気や怪我の程度で分けて、重度の症状のグループと軽度の症状のグループに分類しても良い。自己の通信端末１の優先度判定基準情報に重度の病気等であることを登録しているときは、自己の優先度が高いとして、優先者の情報を通知しないようにしてもよい。これにより、より適切に優先度の判定ができる。
【００６２】
また、実施形態１において、生年月日を比較することにより、より高齢である方を優先者であるように判定するとしたが、生年月日の情報に基づいて、定期的に年齢を算出し、優先度判定基準情報１２１として記憶させておき、年齢で比較するようにしても良い。これにより、データ処理を簡素化することができる。
【００６３】
また、実施形態１において、図５（ａ）に示すような登録項目Ａの画面に対して入力操作を行うことにより、生年月日、性別を取得することとしたが、通信端末１の初期設定で生年月日や性別を含むプロフィールデータが既に登録されている場合には、このプロフィールデータから生年月日と性別を読み込んで、記憶部１２の優先度判定基準情報として記憶するようにしてもよい。これにより、ユーザの操作を簡略化させることができる
【００６４】
また、上記実施形態の制御部１３が実行した処理のプログラムを、既存の近距離無線端末に適用することで、当該近距離無線端末を本発明に係る携帯端末として機能させることも可能である。
【００６５】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、携帯電話網やインターネット等の通信ネットワークを介して配布してもよい。
【００６６】
上記の実施形態の一部又は全部は、以下の付記のようにも記載されうるが、以下には限られない。
【００６７】
（付記１）
通信端末の所持者の優先度を判定する基準となる所持者の優先度判定基準情報を記憶する記憶手段と、
他者が所持する通信端末から送信される当該他者の優先度を判定する基準となる他者の優先度判定基準情報を受信する受信手段と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定手段と、
前記優先度判定手段により、前記他者の優先度判定基準情報が示す優先度が前記所持者の優先度判定基準情報が示す優先度より高いと判定された場合には、優先者の存在を通知する通知手段と、
を有することを特徴とする通信端末。
【００６８】
（付記２）
前記受信手段は、近距離無線通信により受信する、
ことを特徴とする付記１に記載の通信端末。
【００６９】
（付記３）
前記所持者の優先度判定基準情報を送信する送信手段をさらに有し、
前記受信手段が受信する前記他者の優先度判定基準情報は、前記他者が所持する通信端末の前記記憶手段に記憶されている前記他者の優先度判定基準情報を、前記他者の通信端末の前記送信手段が送信したものである、
ことを特徴とする付記１又は２に記載の通信端末。
【００７０】
（付記４）
前記優先度判定基準情報は、前記通信端末を所持する者の身体的情報を含む情報であり、前記身体的情報は複数のグループに分類されており、
前記優先度判定手段は、前記グループ毎に優先度の比較を行う、
ことを特徴とする付記１乃至３のいずれかに記載の通信端末。
【００７１】
（付記５）
前記優先度判定基準情報に含まれる身体的情報は、高齢であることに起因する情報のグループと、高齢であることに起因しない情報のグループとに分類されており、
前記優先度判定手段は、前記所持者の優先度判定基準情報と前記他者の優先度判定基準情報の双方に、前記高齢であることに起因する情報のグループに属する同じ情報が含まれていた場合には、年齢が高い方が優先者であると判定する、
ことを特徴とする付記４に記載の通信端末。
【００７２】
（付記６）
前記通知手段は、優先者の性別及び年代を含む情報を表示部に表示する、
ことを特徴とする付記１乃至５のいずれかに記載の通信端末。
【００７３】
（付記７）
前記通信端末は近距離無線通信機能を有する携帯電話である、
ことを特徴とする付記１乃至６のいずれかに記載の通信端末。
【００７４】
（付記８）
２以上の通信端末から構成される優先者通知システムであって、
各通信端末は、
当該通信端末の所持者の優先度を判定する基準となる所持者の優先度判定基準情報を記憶する記憶手段と、
他者が所持する通信端末から送信される当該他者の優先度を判定する基準となる他者の優先度判定基準情報を受信する受信手段と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定手段と、
前記優先度判定手段により、前記他者の優先度判定基準情報が示す優先度が前記所持者の優先度判定基準情報が示す優先度より高いと判定された場合には、優先者の存在を通知する通知手段と、
ことを特徴とする優先者通知システム。
【００７５】
（付記９）
通信端末の所持者の優先度を判定する基準となる所持者の優先度判定基準情報を記憶する記憶ステップと、
他者が所持する通信端末から送信される当該他者の優先度を判定する基準となる他者の優先度判定基準情報を受信する受信ステップと、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定ステップと、
前記優先度判定ステップにより、前記他者の優先度判定基準情報が示す優先度が前記所持者の優先度判定基準情報が示す優先度より高いと判定された場合には、優先者の存在を通知する通知ステップと、
を有することを特徴とする優先者通知方法。
【００７６】
（付記１０）
コンピュータに、
通信端末の所持者の優先度を判定する基準となる所持者の優先度判定基準情報を記憶する記憶機能と、
他者が所持する通信端末から送信される当該他者の優先度を判定する基準となる他者の優先度判定基準情報を受信する受信機能と、
前記所持者の優先度判定基準情報と、前記他者の優先度判定基準情報を比較し、前記他者の優先度判定基準情報が示す優先度が、前記所持者の優先度判定基準情報が示す優先度より高いか否かを判定する優先度判定機能と、
前記優先度判定機能により、前記他者の優先度判定基準情報が示す優先度が前記所持者の優先度判定基準情報が示す優先度より高いと判定された場合には、優先者の存在を通知する通知機能と、
を実現させるためのプログラム。
【符号の説明】
【００７７】
１、２、３  通信端末
１１  無線部
１２  記憶部
１２１  優先度判定基準情報
１３  制御部
１３１  優先度判定基準情報入出力部
１３２  優先度比較判定部
１３３  通知信号生成部
１４  音声信号処理部
１５  表示部
１６  操作部
２０  電車
２１  優先席
２２  一般席
４  通信端末
４１  受信部
４２  記憶部
４２１  優先度判定基準情報
４３  制御部
４３１  優先度比較判定部
４４  通知信号出力部
【図１】
2013070142.tif 000003
【図２】
2013070142.tif 000004
【図３】
2013070142.tif 000005
【図４】
2013070142.tif 000006
【図５】
2013070142.tif 000007
【図６】
2013070142.tif 000008
【図７】
2013070142.tif 000009
【図８】
2013070142.tif 000010